(57)【要約】【課題】連続した記録材のスタッキングからの戻し搬送後の再印刷時にも中折れやジャムの発生を信頼性高く防止できる印刷装置を提供する。【解決手段】この印刷装置では、セットされた所定の間隔でミシン目を有する連続した記録材１１を保持して搬送するトラクタ１７と加熱ローラ２４及び加圧ローラ２５の間で記録材１１を挟んで接触させて記録材１１上のトナーを熱定着させる加熱定着部２３との間で記録材１１に張力を与えて搬送速度を制御するバッファ部２１を駆動するバッファモータ２２に対し、制御部３５によって記録材１１のスタッキングからの戻し搬送後の再印刷時に記録材１１の長さ情報に基づいてミシン目の位置が加熱定着部２３の加熱ロール２４と加圧ロール２５とによる再接触位置と重ならないようにトラクタ１７による記録材１１の戻し搬送動作と連動してバッファ部２１を任意の位置に移動させるように駆動制御して再接触位置からずらす。【選択図】図２
2016222452.tif 000002
【特許請求の範囲】
【請求項１】
所定の間隔でミシン目を有する連続した記録材を搬送して当該ミシン目で折り畳んでスタッキングすると共に、当該記録材を戻し搬送しての再印刷が可能な印刷装置において、
セットされた前記記録材を保持して搬送するためのトラクタ搬送手段と、加熱ローラと加圧ローラとの間で前記記録材を挟んで接触させて当該記録材上のトナーを熱定着させる加熱定着手段と、前記トラクタ搬送手段と前記加熱定着手段との間で前記記録材に張力を与えて搬送速度を制御するバッファ手段と、前記記録材の長さ情報に基づいて前記ミシン目の位置が前記加熱定着部の前記加熱ロールと前記加圧ロールとによる再接触位置と重ならないように前記トラクタ搬送手段による当該記録材の戻し搬送動作と連動して前記バッファ手段を任意の位置に移動させて当該再接触位置からずらす制御手段と、を備えたことを特徴とする印刷装置。
【請求項２】
請求項１記載の印刷装置において、
前記制御手段は、セットされた前記記録材の長さによって前記トラクタ搬送手段による当該記録材の戻し搬送時に前記バッファ手段の位置を自動的に変更設定する機能を有することを特徴とする印刷装置。
【請求項３】
請求項２記載の印刷装置において、
前記制御手段は、前記トラクタ搬送手段による前記記録材の戻し搬送時に前記バッファ手段の位置を微調整する機能を有することを特徴とする印刷装置。
【発明の詳細な説明】
【技術分野】
【０００１】
本発明は、印刷装置に関する。
【背景技術】
【０００２】
従来、連続紙等の長尺状に連続した記録材に印刷する電子写真式レーザープリンタ等の印刷装置では、加熱定着部において記録材にダメージを与えないよう制御することで、記録材の中折れやジャムの発生を軽減する機能が求められている。
【０００３】
係る機能に関連する周知技術として、記録材を戻し搬送中にスタッカテーブルを下げることにより、記録材への余分な負荷を無くすように制御することで、記録材の中折れやジャムの発生を防止できる信頼性の高い「印刷装置」（特許文献１参照）が挙げられる。
【発明の概要】
【発明が解決しようとする課題】
【０００４】
上述した特許文献１に係る技術では、記録材の中折れやジャムを防止する目的で戻し搬送時にスタッカテーブルを下げておき、記録材の戻し搬送時に記録材に余分な負荷を与えないで戻せるように制御を行うことにより、記録材の搬送不良を抑制できるものであるが、こうした制御機能であれば印刷停止時に記録材のミシン目付近で加熱定着部の加熱ローラと加圧ローラとのニップ（接触）が解除された後の再印刷時において、再びミシン目付近を加熱ローラと加圧ローラとが再ニップされることで起こるアイロン効果によりミシン目が折れ難くなり、こうした状況では記録材の中折れによる折り畳み不良やジャムが発生し易くなってしまうという問題がある。
【０００５】
即ち、特許文献１に係る技術によれば、記録材の戻し搬送時にスタッカテーブルを下げることで、記録材のミシン目での折り畳み性を向上させ、スタッキングの折り畳みで記録材に余分な負荷を与えず、中折れによるジャムを防止できるという利点はあるが、係る制御機能ではミシン目の位置が加熱定着部の加熱ロールと加圧ロールとによる再接触位置と重なることがあり、こうした状況下での再印刷時に記録材のミシン目近傍で加熱ローラと加圧ローラとが複数回ニップされるような場合に生じるアイロン効果によって記録材をミシン目で折り畳み難くなるという問題があるため、連続した記録材のスタッキングからの戻し搬送後の再印刷時には中折れやジャムの発生を信頼性高く防止できないという基本機能上で改善すべき余地がある。
【０００６】
本発明は、このような問題点を解決すべくなされたもので、その技術的課題は、連続した記録材のスタッキングからの戻し搬送後の再印刷時にも中折れやジャムの発生を信頼性高く防止できる印刷装置を提供することにある。
【課題を解決するための手段】
【０００７】
上記技術的課題を達成するため、本発明の第１の手段は、所定の間隔でミシン目を有する連続した記録材を搬送して当該ミシン目で折り畳んでスタッキングすると共に、当該記録材を戻し搬送しての再印刷が可能な印刷装置において、セットされた記録材を保持して搬送するためのトラクタ搬送手段と、加熱ローラと加圧ローラとの間で記録材を挟んで接触させて当該記録材上のトナーを熱定着させる加熱定着手段と、トラクタ搬送手段と加熱定着手段との間で記録材に張力を与えて搬送速度を制御するバッファ手段と、記録材の長さ情報に基づいてミシン目の位置が加熱定着部の加熱ロールと加圧ロールとによる再接触位置と重ならないようにトラクタ搬送手段による当該記録材の戻し搬送動作と連動してバッファ手段を任意の位置に移動させて当該再接触位置からずらす制御手段と、を備えたことを特徴とする。
【発明の効果】
【０００８】
本発明の印刷装置によれば、上記構成により、連続した記録材のスタッキングからの戻し搬送後の再印刷時にも中折れやジャムの発生を信頼性高く防止できるようになる。上記した以外の課題、構成及び効果は、以下の実施の形態の説明により明らかにされる。
【図面の簡単な説明】
【０００９】
【図１】本発明の実施例１に係る電子写真式の印刷装置の記録材戻し搬送時の要部構成を示した概略図である。
【図２】図１に示す印刷装置の要部構成における転写乃至加熱定着の機能部とその周辺機能部とを示した概略図である。
【図３】図２に示す要部構成での記録材戻し搬送時にバッファ部による位置変更を行わずに記録材のミシン目と加熱定着部おける加熱ローラ及び加圧ローラ間の接触点とが重なる様子を説明するために示した概略図である。
【図４】図２に示す要部構成での記録材戻し搬送時に実施例で適用するバッファ部による位置変更を行って記録材のミシン目と加熱定着部における加熱ローラ及び加圧ローラ間の接触点との重なりをずらす様子を説明するために示した概略図である。
【図５】図２に示す要部構成に含まれるバッファ部の細部構成を示した概略図である。
【図６】図５に示すバッファ部による検出動作を説明するために示した概略図である。
【図７】図２に示す要部構成に含まれる制御部による記録材戻し動作時のバッファ部の位置制御に係る動作処理を示すフローチャートである。
【発明を実施するための形態】
【００１０】
以下、本発明の印刷装置について、実施例を挙げ、図面を参照して詳細に説明する。
【実施例】
【００１１】
図１は、本発明の実施例１に係る電子写真式の印刷装置の記録材戻し搬送時の要部構成を示した概略図である。
【００１２】
図１を参照すれば、この印刷装置では、帯電器１４で一様に帯電した感光体ドラム１３に対し、光学ユニット１２から発せられたレーザ光Ｒが当てられることにより、感光体ドラム１３の表面上に静電潜像が形成され、現像機１５からトナーが感光体ドラム１３に吸着されると共に、セットされた所定の間隔でミシン目を有する連続した記録材（所謂連続用紙）１１がホッパ１６からトラクタ１７により搬送されてリトラクタ１８で感光体ドラム１３に押付けられ、転写器１９によって感光体ドラム１３上のトナーが記録材１１上に転写されるようになっている。因みに、トラクタ１７はリトラクタ１８を挟むように一対設けられ、それぞれの駆動側のローラとトラクタモータ２０の駆動軸に取り付けられたローラとに架け渡されたベルトを介してトラクタモータ２０の駆動力により記録材１１への搬送駆動が促される仕組みとなっている。即ち、ここでのトラクタ１７及びリトラクタ１８は協働してセットされた記録材１１を保持して搬送するためのトラクタ搬送手段として機能する。
【００１３】
また、この印刷装置では、トナーが付着した記録材１１がトラクタ１７からバッファ部２１を通って加熱定着部（定着ユニットと呼ばれても良い）２３に送られる。バッファ部２１は、バッファモータ２２の駆動軸に一端側が取り付けられると共に、他端側が搬送される記録材１１を支持するようになっている。加熱定着部２３は、主に加熱ローラ２４と加圧ローラ２５とを備えて構成され、加圧ローラ２５が記録材１１を加熱ローラ２４側に押し付けることによって記録材１１上のトナーが定着される。即ち、加熱定着部２３は、加熱ローラ２４と加圧ローラ２５との間で記録材１１を挟んで接触させて記録材１１上のトナーを熱定着させる加熱定着手段として機能する。
【００１４】
加熱定着部２３から排出された記録材１１は駆動ローラ２６と従動ローラ２７とに挟持され、スウィングフィンモータ２９の駆動軸に一端側が取り付けられたスウィングフィン２８に送られる。スウィングフィン２８の他端側から揺動動作を受けて排出された記録材１１はミシン目で折れ易く畳まれた後、一対のパドルモータ３０の駆動軸にそれぞれ一端側が結合されたパドル３１の部材間を通ってミシン目が押付けられる状態となって、テーブルモータ３３の駆動軸に取り付けられたローラとスタッカテーブル３２に設けられたローラとを架け渡すタイミングベルト３４を介してテーブルモータ３３の駆動力により上下方向に移動可能な仕組みのスタッカテーブル３２上に積み重ねられる。
【００１５】
即ち、ここでの記録材１１は、スウィングフィンモータ２９によって揺動動作されるスウィングフィン２８から排出されてスタッカテーブル３２上に積み重ねられる際、パドルモータ３０によって駆動されるパドル３１からの揺動する接触力を受けてミシン目がスタッカテーブル３２に押し付けられて折り畳み易くされた状態でスタッカテーブル３２上に堆積される仕組みとなっている。
【００１６】
図２は、実施例に係る印刷装置の要部構成における転写乃至加熱定着の機能部とその周辺機能部とを示した概略図である。
【００１７】
図２を参照すれば、ここでは記録材１１がトラクタモータ２０により駆動されるトラクタ１７に保持されており、感光体ドラム１３上のトナーが転写器１９によって転写点Ｐで記録材１１に転写された後、バッファ部２１を経て加熱定着部２３へと送られる際、記録材１１を搬送するトラクタ１７と加熱定着部２３との間に位置されるバッファ部２１の他端側が制御部３５によるバッファモータ２２の駆動力の制御を受けて可動し、搬送時の位置によって加熱定着部２３とトラクタ１７との速度差を補正する様子を示している。
【００１８】
具体的に云えば、バッファ部２１の他端側は通常図２中の二点鎖線部分付近に位置されるようにバッファモータ２２の駆動力が制御されており、バッファ部２１の他端側の位置により加熱ローラ２４の回転速度を変えてトラクタ１７と加熱定着部２３とでの記録材１１の速度を合わせるようにして例えば実線部分に移動させた後、加熱定着部２３における加熱ローラ２４と加圧ローラ２５との間で記録材１１を接触点Ｎで接触させて熱及び圧力を加えることにより記録材１１上にトナーを定着する。即ち、バッファ部２１は、トラクタ１７と加熱定着部２３との間で記録材１１に張力を与えて搬送速度を制御するバッファ手段として機能する。このような電子写真式の印刷が停止すると、定着不良による脱字等の不具合が発生しないように、加熱ローラ２４の手前側のミシン目が接触点Ｎに到達するまで加熱ローラ２４と加圧ローラ２５とに接触された状態で記録材１１を搬送する。
【００１９】
この後、記録材１１のミシン目が接触点Ｎの位置で停止するよう制御され、ミシン目の位置で接触維持の解除（ニップ解除）を行う。これは記録材１１のミシン目の位置が印刷禁止領域となっており、記録材１１のミシン目で接触維持の解除を行うことによって文字剥がれが発生しないようにするためである。接触維持を解除した後は、記録材１１を感光体ドラム１３の方向に戻し搬送し、ミシン目を転写点Ｐ付近に戻して次の転写動作準備を行う。この際、転写点Ｐから接触点Ｎまでの距離が一定であるため、記録材１１の長さ（折り畳みミシン目間の長さ）によって戻し量が異なる。例えば転写点Ｐから接触点Ｎまでの距離が１６インチの距離であり、記録材１１の長さ１１インチであれば、戻し量は５インチ（１６−１１＝５）となる。書き出し側となる記録材１１のミシン目は常に同じ場所であるため（感光体ドラム１３の露光点や転写点Ｐが決まっているため）、記録材１１の長さによっては再印刷時の記録材１１のミシン目が接触点Ｎ付近となる場合がある。このように再印刷時の記録材１１のミシン目が接触点Ｎ付近となると、アイロン効果によって記録材１１をミシン目で折り畳み難くなり、記録材１１の戻し搬送後の再印刷時に中折れやジャムの発生を起こすという問題がある点は上述した通りである。
【００２０】
そこで、実施例に係る印刷装置では再印刷時のバッファ部２１の位置を変えることにより、転写点Ｐから接触点Ｎまでの距離を変更することができる点に着目し、連続した記録材１１のスタッキングからの戻し搬送後の再印刷時にも中折れやジャムの発生を信頼性高く防止できるようにすることを技術的課題としている。こうした機能を得るためには、図２中の制御部３５によって記録材１１の戻し搬送後の再印刷時にバッファモータ２２を駆動制御し、記録材１１の長さ情報（１頁分）に基づいてミシン目の位置が加熱定着部２３の加熱ロール２４と加圧ロール２５とによる再接触位置と重ならないようにトラクタ１７による記録材１１の戻し搬送動作と連動してバッファ部２１を任意の位置に移動させて再接触位置からずらす制御手段として機能させれば良い。
【００２１】
図３は、上述した要部構成での記録材戻し搬送時にバッファ部２１による位置変更を行わずに記録材１１のミシン目と加熱定着部２３における加熱ローラ２４及び加圧ローラ２５間の接触点Ｎとが重なる様子を説明するために示した概略図である。
【００２２】
図３を参照すれば、ここでは転写点Ｐ〜接触点Ｎの距離が１６インチであり、記録材１１の長さ（用紙長）が８インチである場合を想定しており、状態Ａの印刷停止時には、第２番目のミシン目２を境に記録材１１の加熱定着部２３の側の２頁分にデータが存在し、加熱定着部２３と反対側が白紙部分となっていれば、印刷停止すると脱字防止のために未定着部分が発生しないように、記録材１１は加熱定着部２３の加熱ローラ２４及び加圧ローラ２５間に接触された状態で１頁分搬送されて記録材１１の長さ１頁分定着した後、加圧ローラ２５が加熱ローラ２４から離れる接触解除を示すＢ状態となる。
【００２３】
この後、再び印刷準備のために記録材戻し動作が行われ、記録材１１の白紙部分の先頭ミシン目（ミシン目２）が転写器１９付近に戻され、記録材１１は加熱ローラ２４及び加圧ローラ２５の間に接触され、印刷動作が始まるＣ状態となる。
【００２４】
このような記録材戻し搬送後の再印刷時には、上述したように転写点Ｐ〜接触点Ｎの距離と記録材１１の長さの整数倍の長さ（折り畳みミシン目の整数倍の長さ）とがほぼ等しい状況下であると、印刷⇒停止⇒再印刷の工程においてミシン目付近で接触解除と共に再接触が行われることになり、アイロン効果で記録材１１のミシン目の剛性が上がって記録材１１の中折れによる折り畳み不良が発生し易くなる。このような折り畳み不良発生の対策として、記録材１１の戻し量を多くする等の手法も考えられるが、単純に記録材１１の戻し量を多くしただけでは転写器１９に係る転写点Ｐのミシン目位置がずれることがあり、こうした場合には露光タイミングや転写タイミングもずれるため、制御設定を含めて大幅な改良が必要となってしまうために好ましくない。
【００２５】
図４は、上述した要部構成での記録材戻し搬送時に実施例で適用するバッファ部２１による位置変更を行って記録材１１のミシン目と加熱定着部２３における加熱ローラ２４及び加圧ローラ２５間の接触点Ｎとの重なりをずらす様子を説明するために示した概略図である。
【００２６】
図４を参照すれば、ここでも転写点Ｐ〜接触点Ｎの距離が１６インチであり、記録材１１の長さ（用紙長）が８インチである場合を想定しており、状態Ａの印刷停止時には、図３で説明した場合と同様に第２番目のミシン目２を境に記録材１１の加熱定着部２３の側の２頁分にデータが存在し、加熱定着部２３と反対側が白紙部分となっていれば、印刷停止すると脱字防止のために未定着部分が発生しないように、記録材１１は加熱定着部２３の加熱ローラ２４及び加圧ローラ２５間に接触された状態で１頁分搬送されて記録材１１の長さ１頁分定着した後、加圧ローラ２５が加熱ローラ２４から離れる接触解除を示すＢ状態となる。
【００２７】
この後、再び印刷準備のために記録材戻し動作に推移するが、このときに通常は図２中のニ点鎖線で示されるバッファ部２１の位置を実線位置となるように移動して固定し、位置移動されたバッファ部２１によって記録材１１が転写点Ｐ側に通常よりも多目に戻されたＣ状態となる。そこで、次の印刷動作が開始されると、加熱定着部２３の加熱ローラ２４及び加圧ローラ２５間で再接触する位置が通常の場合（ミシン目付近の図３のＣ状態が対比される）と異なり、記録材１１のミシン目を避けた位置にずらされたＤ状態となり、記録材１１のミシン目付近に余分な負荷を与えることなく、中折れやジャムの発生を防止して安定して再印刷が行われる。
【００２８】
図５は、上述したバッファ部２１の細部構成を示した概略図である。図５を参照すれば、ここでのバッファ部２１は、回転軸２１ａに捩りコイルばね３８を介在させてセンサプレート３７の一端側が取り付けられ、センサプレート３７の他端側がセンサ４０で検出される機能を持つと共に、捩りコイルばね３８の一端部がセンサ４０側のピン３９に突き当たり、他端部が本体側のピンに突き当たる構造となっている。
【００２９】
係る構造のバッファ部２１は、記録材１１がセットされずに掛かっていない状態では捩りコイルばね３８の反発力によりストッパピン３６に当接され、印刷時には記録材１１に張力が掛かるために回転軸２１ａを中心に反時計回りに回転し、印刷中はトラクタ１７と加熱定着部２３との速度差により、記録材１１の張力が変化することでバッファ部２１の位置が変位するため、センサ４０でバッファ部２１の傾きを検出する。
【００３０】
この検出結果を受けた制御部３５は、印刷中の記録材１１の搬送速度が速くなる方向か遅くなる方向かを判断した上で各種モータ（トラクタモータ２０、バッファモータ２２、スウィングフィンモータ２９）への駆動力を制御し、トラクタ１５のローラや加熱定着部２３における加熱ローラ２４及び加圧ローラ２５の回転速度を変更している。
【００３１】
図６は、上述したバッファ部２１による検出動作を説明するために示した概略図である。図６を参照すれば、ここではバッファ部２１を駆動する部分のセンサ構造を示しており、回転軸２１ａに取り付けられたセンサプレート３７の他端側は複数に切り欠かれた切り欠き検出部４０ａとなっており、この切り欠き検出部４０ａがセンサ４０の検出部分に掛かるように配置されている。
【００３２】
係るバッファ部２１では、変位する位置によって切り欠き検出部４０ａにおける複数の切り欠き部分がオン、オフの状態となり、このセンサ検出部分となる切り欠き検出部４０ａでのオン、オフの組み合わせによって現在のバッファ部２１の位置（バッファ部２１の傾き）を検知できる構成となっている。このため、制御部３５の駆動制御でバッファモータ２２の駆動力を変化させてバッファ部２１の位置を変更する場合にも、切り欠き検出部４０ａでのオン、オフの組み合わせによってどの位置までバッファ部２１を動かすかを制御することができる。因みに、ここでの制御部３５によってバッファモータ２２の駆動力を制御してバッファ部２１の位置を変更する場合、任意の位置を設定することが可能である他、印刷装置の操作者の意図を指示してバッファ部２１の位置を調整することも可能である。
【００３３】
図７は、上述した制御部３５による記録材戻し動作時のバッファ部２１の位置制御に係る動作処理を示すフローチャートである。
【００３４】
図７を参照すれば、バッファ部２１の位置制御に係る動作処理では、まず印刷装置に記録材１１がセットされることを前提として記録材長設定が行われると、セットされた記録材１１の長さ情報に基づいて転写点Ｐ〜接触点Ｎ間の距離と記録材長との差が±０．５インチの範囲内にあるか否かの判定（ステップＳ１）を行う。この判定の結果、±０．５インチの範囲内にあれば記録材戻し後のバッファ部２１の位置変更（ステップＳ２）を行い、印刷停止時のトラクタ１７による記録材戻し動作と連動してバッファ部２１の位置を変更した後、バッファ部２１の位置微調整モード（ステップＳ３）に移行するが、±０．５インチの範囲内になければ通常制御（バッファ部２１の位置変更無し）とする処理（ステップＳ４）に移行する。ここで、バッファ部２１の位置の変更量はセットした記録材１１の長さ（記録材長）によってバッファ部２１の位置が任意の位置となるように、予め記録長に合致した位置の変更量のデータがテーブル形式で記憶部に格納されて用意されており、制御部３５によって自動的に位置の変更量が設定されるようになっている。この場合、再接触位置は図４中のＤ状態に示されるような位置となり、記録材１１のミシン目付近で加熱ローラ２４及び加圧ローラ２５間で２度接触（ダブルニップ）されることがなく、折り畳み不良の発生を防止することができる。また、印刷停止の記録材戻しで、バッファ部２１の位置は自動的に変更されるが、更にバッファ部２１の位置微調整モード（ステップＳ３）を付加することで、再接触箇所（定着済みの箇所）での文字太り防止が図られる効果がある。例えば再接触した箇所に細かい文字や数字が記載されていた場合等で、極力文字太りを抑えたい場合には、位置微調整モードでバッファ部２１を数ミリ程度移動できる制御を行うことで位置をずらすことができる。
【００３５】
また、上述した通常制御（バッファ部２１の位置変更無し）とする処理（ステップＳ４）では通常制御となり、バッファ部２１の位置の変更は行われないが、この後はバッファ部２１の位置変更モード（ステップＳ５）へ移行して再接触の位置を故意にずらしたい場合等に備えるようにしてから記録材戻し後のバッファ部２１の位置変更（ステップＳ２）へ移行し、その後にバッファ部２１の位置微調整モード（ステップＳ３）を行うようにする。因みに、バッファ部２１の位置変更モード（ステップＳ５）では、例えばバッファ部２１の位置を０．５インチ以内で調整できる制御となっており、その調整値はセンサプレート３７の形状を変更することによって細かくすることが可能となる。
【００３６】
即ち、上述した制御部３５は、セットされた記録材１１の長さによってトラクタ１７による記録材１１の戻し搬送時にバッファ部２１の位置を自動的に変更設定する機能を有する他、トラクタ１７による記録材１１の戻し搬送時にバッファ部２１の位置を微調整する機能を有する。
【００３７】
以上に説明した実施例に係る印刷装置では、セットされた所定の間隔でミシン目を有する連続した記録材１１を保持して搬送するトラクタ１７と加熱ローラ２４及び加圧ローラ２５の間で記録材１１を挟んで接触させて記録材１１上のトナーを熱定着させる加熱定着部２３との間で記録材１１に張力を与えて搬送速度を制御するバッファ部２１を駆動するバッファモータ２２に対し、制御部３５によって記録材１１のスタッキングからの戻し搬送後の再印刷時に記録材１１の長さ情報に基づいてミシン目の位置が加熱定着部２３の加熱ロール２４と加圧ロール２５とによる再接触位置と重ならないようにトラクタ１７による記録材１１の戻し搬送動作と連動してバッファ部２１を任意の位置に移動させるように駆動制御して再接触位置からずらすため、連続した記録材１１のスタッキングからの戻し搬送後の再印刷時にも中折れやジャムの発生を信頼性高く防止できるようになる。
【００３８】
尚、実施例で説明した印刷装置における要部構成の細部は種々変更可能であるため、本発明の印刷装置は実施例で開示して説明した形態のものに限定されない。
【符号の説明】
【００３９】
１１  記録材（用紙）
１２  光学ユニット
１３  感光体ドラム
１４  帯電器
１５  現像機
１６  ホッパ
１７  トラクタ
１８  リトラクタ
１９  転写器
２０  トラクタモータ
２１  バッファ部
２１ａ  回転軸
２２  バッファモータ
２３  加熱定着部
２４  加熱ローラ
２５  加圧ローラ
２６  駆動ローラ
２７  従動ローラ
２８  スウィングフィン
２９  スウィングフィンモータ
３０  パドルモータ
３１  パドル
３２  スタッカテーブル
３３  テーブルモータ
３４  タイミングベルト
３５  制御部
３６  ストッパピン
３７  センサプレート
３８  捩りコイルばね
３９  ピン
４０  センサ
４０ａ  切欠き検出部
【先行技術文献】
【特許文献】
【００４０】
【特許文献１】特開２００９−１３２４８７号公報
【図１】
2016222452.tif 000003
【図２】
2016222452.tif 000004
【図３】
2016222452.tif 000005
【図４】
2016222452.tif 000006
【図５】
2016222452.tif 000007
【図６】
2016222452.tif 000008
【図７】
2016222452.tif 000009